(57)【特許請求の範囲】
【請求項１】
保持対象物を外周側から支えるホルダ部と、該ホルダ部を支える立壁状のベースと、を有するカップホルダであって、
前記ホルダ部を前記ベースに対して水平姿勢に傾倒させる展開位置と起立姿勢に折り畳む退避位置とに切換え可能に連結する連結構造と、
前記ベースに開閉可能にヒンジ連結されて、前記展開位置に傾倒された前記ホルダ部の底側に水平姿勢に展開される開位置と、前記ホルダ部を起立姿勢にして前記ベースとの間に挟み込むように前記ベースに折り畳まれる閉位置と、に切り換え可能とされる開閉蓋と、
前記ベースに形成され、前記ホルダ部の前記退避位置への移動により前記ホルダ部を嵌合させて位置保持させる嵌合部と、を有し、
前記連結構造が、前記ホルダ部を前記ベースに対して高さ方向にスライド可能に連結するスライド軸と、該スライド軸のスライドに伴って前記ホルダ部を前記ベースに対して前記展開位置と前記退避位置との間で起倒回転させるように前記ホルダ部を前記開閉蓋と連結する制御リンクと、を有し、当該構成により前記開閉蓋の閉操作によって前記ホルダ部を起立姿勢に押し動かして前記ベースとの間に挟み込む連動操作と前記開閉蓋を前記開位置に残して前記ホルダ部を単独で前記退避位置へと押し込む単独操作とが可能とされ、
前記ホルダ部は、前記連動操作による時には前記開閉蓋によって前記退避位置までは押し動かされず前記嵌合部とは嵌合しないが、前記単独操作により前記退避位置まで押し動かされることで前記嵌合部と嵌合して位置保持されるカップホルダ。
【請求項２】
請求項１に記載のカップホルダであって、
前記制御リンクの前記開閉蓋に対するリンク連結軸の位置が、前記開閉蓋の前記ベースに対するヒンジ連結軸の位置から偏心した位置に設定され、前記ホルダ部の前記退避位置への移動により前記制御リンクが前記ホルダ部と前記開閉蓋との間でつっかえ棒状に張り出して前記開閉蓋の閉動作を阻止するカップホルダ。
【請求項３】
請求項２に記載のカップホルダであって、
前記嵌合部が、前記退避位置へと押し込まれた前記ホルダ部に上側から押圧力を作用させる形に嵌合する構造とされ、
前記制御リンクの前記開閉蓋に対するリンク連結軸の位置が、前記開閉蓋の前記開位置から前記閉位置への移動に伴い下方へ落とされる位置に設定されるカップホルダ。
【発明の詳細な説明】
【技術分野】
【０００１】
本発明は、カップホルダに関する。詳しくは、保持対象物を外周側から支えるホルダ部と、ホルダ部に軸方向に一体的に連結されたスライド軸と、スライド軸を高さ方向にスライド可能にガイドした状態として支えるベースと、を有するカップホルダに関する。
【０００２】
従来、車両用シートにおいて、シートクッションの側部に、折り畳み可能なカップホルダが設けられた構成が知られている（特許文献１）。上記カップホルダは、壁板に対して下開き可能にヒンジ連結された開閉蓋の動きに合わせて折り畳まれたり展開されたりするようになっている。具体的には、上記カップホルダは、壁板に対して高さ方向にスライド可能にヒンジ連結されたスライド軸に連結されている。上記カップホルダは、開閉蓋の開き操作によって付勢によりスライド軸を上方側へスライドさせながら壁板から前に迫り出す形に展開され、開閉蓋の閉じ操作によって開閉蓋に押し込まれる形でスライド軸を下方側へスライドさせながら壁板との間に折り畳まれるようになっている。
【先行技術文献】
【特許文献】
【０００３】
【特許文献１】特開２００２−３３７５９５号公報
【発明の概要】
【発明が解決しようとする課題】
【０００４】
上記従来技術では、壁板をシートクッションの側部にボルト締結する際に、カップホルダが付勢によって締結作業の邪魔になる位置に展開されてしまう。そのため、カップホルダを手で折り畳み位置に押さえ込みながら壁板の締結作業を行わなければならず、締結に係る作業が煩雑となっていた。本発明は、上記問題を解決するものとして創案されたものであって、本発明が解決しようとする課題は、カップホルダのホルダ部を不使用時に退避位置に動かして保持できる構成とすることにある。
【課題を解決するための手段】
【０００５】
上記課題を解決するために、本発明のカップホルダは次の手段をとる。
【０００６】
第１の発明は、保持対象物を外周側から支えるホルダ部と、ホルダ部を支えるベースと、を有するカップホルダである。ホルダ部は、ベースに対して、保持対象物を支えることのできる展開位置と、展開位置からいずれかの方向に動かされた退避位置と、の間で動かすことができると共に、動かした各位置にて位置保持することのできる状態に連結されている。ホルダ部を上記退避位置に位置保持する構成が、ホルダ部の退避位置への移動により、ホルダ部と移動を共にする移動体がベースに嵌合する構造からなる。なお、上記「移動体」は、ホルダ部を含む、ホルダ部と移動を共にする構造体を意図している。
【０００７】
この第１の発明によれば、ホルダ部を退避位置へと動かすことで、ホルダ部と移動を共にする移動体がベースに嵌合して、ホルダ部が退避位置に保持される。このような構成により、カップホルダのホルダ部を不使用時に退避位置に動かして保持することのできる構成を得ることができる。
【０００８】
第２の発明は、上述した第１の発明において、次の構成とされているものである。カップホルダは、更に、ベースに対して開閉可能に連結された開閉蓋を有する。開閉蓋は、ホルダ部が退避位置に位置保持されることにより、移動体を介して開いた状態に位置保持される構成とされている。
【０００９】
この第２の発明によれば、ホルダ部を退避位置に位置保持する構成を利用して、開閉蓋も開いた状態に位置保持することができる。
【００１０】
第３の発明は、上述した第２の発明において、次の構成とされているものである。カップホルダは、更に、ホルダ部と開閉蓋とをリンク連結する制御リンクを有する。開閉蓋は、ホルダ部が退避位置に位置保持されることにより、制御リンクを支えとして開いた状態に位置保持される構成とされている。
【００１１】
この第３の発明によれば、ホルダ部と開閉蓋とをリンク連結する制御リンクを支えとして、開閉蓋を開いた状態に安定して位置保持することができる。
【００１２】
第４の発明は、上述した第３の発明において、次の構成とされているものである。開閉蓋が、ベースに対して開閉回転可能にヒンジ連結されている。制御リンクは、開閉蓋に対し、開閉蓋のベースとのヒンジ連結軸から偏心した箇所に連結されている。ホルダ部が上記退避位置に位置保持された状態では、開閉蓋を斜めの角度姿勢で支えて位置保持する構成とされている。
【００１３】
この第４の発明によれば、開閉蓋が制御リンクによって開いた状態に支えられる際の、開閉蓋に掛かる曲げの負荷を軽減することができる。
【００１４】
第５の発明は、上述した第３又は第４の発明において、次の構成とされているものである。ホルダ部は、開閉蓋の閉じ操作によって上記制御リンクを介したリンク運動により開閉蓋とベースとの間に重ね合わされた状態に折り畳まれる構成とされている。開閉蓋が開いた状態でホルダ部をベースに折り畳むことによりホルダ部が退避位置まで移動してベースと嵌合し開閉蓋の閉じ操作を規制した状態となるが、開閉蓋を閉じる操作によってホルダ部をベースに折り畳む時にはホルダ部が退避位置までは到達せずにベースと嵌合しない状態で開閉蓋とベースとの間に折り畳まれるようになっている。
【００１５】
この第５の発明によれば、開閉蓋を閉じる時には、ホルダ部をこの動きに連動させてベースとの間に折り畳むことができながら、開閉蓋を開いた状態でホルダ部自体をベースに折り畳む時には、その動作によってホルダ部を退避位置に嵌合させて位置保持させ、開閉蓋を開いた状態に位置保持する構成とすることができる。
【００１６】
第６の発明は、上述した第５の発明において、次の構成とされているものである。ホルダ部は、制御リンクの開閉蓋に対する連結点の位置が、開閉蓋の閉じ操作と共にホルダ部を退避位置から引き離していく移動軌跡を通る位置に設定されている。
【００１７】
この第６の発明によれば、上述した第５の発明の構成を、制御リンクの開閉蓋に対する連結点の位置設定によって簡便に具現化することができる。
【００１８】
第７の発明は、上述した第１から第６のいずれかの発明において、次の構成とされているものである。ホルダ部の展開位置がベースから迫り出す状態位置とされ、ホルダ部の退避位置がベースに重ね合わされる形に折り畳まれた状態位置とされる。
【００１９】
この第７の発明によれば、ホルダ部をベースに対して保持対象物を外周側から適切に支えられる状態位置と、ベースにコンパクトに折り畳んだ状態位置と、の間で展開収納させる形で動かすことができる。
【図面の簡単な説明】
【００２０】
【図１】実施例１のカップホルダの展開状態を表した斜視図である。
【図２】開閉蓋の閉じ操作によってホルダ部が折り畳まれる様子を表した斜視図である。
【図３】開閉蓋が閉じられた状態を表した斜視図である。
【図４】カップホルダの展開状態で飲物容器からホルダ部に横倒れ荷重が掛けられた状態を表した斜視図である。
【図５】図４の内部構造を一部肉抜きして表した部分断面斜視図である。
【図６】カップホルダの分解斜視図である。
【図７】カップホルダの展開状態を表した平面図である。
【図８】同側面図である。
【図９】図８のIX-IX線断面図である。
【図１０】スライド軸に形成された突起部の拡大斜視図である。
【図１１】カップホルダを乗物用シートの側部に取り付ける様子を表した斜視図である。
【図１２】ホルダ部を折り畳んで退避位置に嵌合させた状態を表した斜視図である。
【図１３】開閉蓋が開いた状態でのホルダ部の折り畳みの移動軌跡を表した側面図である。
【図１４】開閉蓋の閉じ操作によってホルダ部が折り畳まれる時の移動軌跡を表した側面図である。
【発明を実施するための形態】
【００２１】
以下に、本発明を実施するための形態について、図面を用いて説明する。
【実施例１】
【００２２】
＜カップホルダ１の概略構成＞
始めに、実施例１のカップホルダ１の構成について、図１〜図１４を用いて説明する。図１〜図２に示すように、本実施例のカップホルダ１は、図示しない自動車用シート（乗物用シート）のシートクッションの車幅方向の内側の側部に付設されている。上記カップホルダ１は、上述した不図示のシートクッションの側部にボルト締結された立壁状のベース３から、開閉蓋５が車幅方向の内側に向かって下開き状に開かれたり閉じられたりすることで、メガネ枠状のホルダ部２がベース３から迫り出して保持対象物となる飲物容器Ｃを保持可能な状態に展開されたりベース３に折り畳まれる形に収納されたりする構成とされている。
【００２３】
具体的には、上記カップホルダ１は、図１に示すように、上述した開閉蓋５の開き操作により、上述したメガネ枠状のホルダ部２がベース３に折り畳まれた状態から車幅方向の内側に張り出す形に展開されるようになっている。また、上記カップホルダ１は、図２に示すように、上記開閉蓋５を閉じることにより、上記展開されたホルダ部２が開閉蓋５により押し込まれる形でベース３との間に折り畳まれた状態に収納されるようになっている。また、上記カップホルダ１は、更に、図３に示すように、開閉蓋５を開いた状態で、ホルダ部２をベース３に折り畳む形に押し込むことにより、ホルダ部２のメガネ枠の繋ぎの谷面部２Ｄが後述するベース３の係止部３Ｄの嵌合部３Ｅと干渉して嵌合し、同嵌合部３Ｅとの摺動摩擦抵抗力によりホルダ部２がベース３に折り畳まれた状態として保持される構成となっている。ここで、上述した谷面部２Ｄが本発明の「移動体」に相当する。
【００２４】
上述したホルダ部２は、図１に示すように、上述したベース３に対して左右一対のスライド軸２Ｂを介して高さ方向にスライド可能かつ軸回転も行える状態にヒンジ連結されている。また、上記ホルダ部２は、上記スライド軸２Ｂを介したベース３への連結とは別に、制御リンク４を介して上述したベース３の下端部に開閉可能にヒンジ連結された開閉蓋５ともリンク連結されている。具体的には、上記制御リンク４は、上述したホルダ部２のスライド軸２Ｂから離れた先端箇所（操作軸４Ｂ）と、上述した開閉蓋５のベース３の下端部と連結された近傍箇所（基軸４Ａ）とを繋ぐ形にリンク連結されている。上記連結により、制御リンク４は、その開閉蓋５との連結点（基軸４Ａ）まわりの起倒回転によって、上述したホルダ部２をベース３に押し付けたりベース３から引き出したりする形に動かされるようになっている。
【００２５】
詳しくは、上記ホルダ部２は、図２に示すように、上記制御リンク４のベース３に向けての起こし上げ回転により、ベース３に対してスライド軸２Ｂを下方側へ落とし込みながら重ね合わされる形に折り畳まれるようになっている。また、上記ホルダ部２は、図１に示すように、上記制御リンク４のベース３から離れる倒れ込み方向の回転により、上記図２に示した折り畳み状態から、ベース３に対してスライド軸２Ｂを上方側へ引き上げながら水平姿勢に展開されるようになっている。
【００２６】
上記構成により、カップホルダ１は、図２に示すように、上述した開閉蓋５が閉じられる操作によって、開閉蓋５からホルダ部２に折り畳み方向の押圧力が掛けられて、開閉蓋５が閉じられると共に、ホルダ部２が開閉蓋５とベース３との間に折り畳まれる形に収納されるようになっている。また、カップホルダ１は、図１に示すように、上述した開閉蓋５が開かれる操作によって、上述した折り畳み方向の押圧力が解放されて、上述した制御リンク４とホルダ部２とのリンク連結部（操作軸４Ｂ）に設けられたトーションスプリング６の附勢力によって、ホルダ部２がベース３から水平姿勢に張り出した形に展開されるようになっている（図７〜図８参照）。
【００２７】
図１に示すように、上記ホルダ部２がベース３から水平姿勢に展開された状態では、スライド軸２Ｂがベース３に対する可動範囲の上端に位置して、制御リンク４に掛けられるトーションスプリング６の附勢力により展開位置に保持されるようになっている。しかし、図４〜図５に示すように、上記展開状態とされたホルダ部２に飲物容器Ｃが差し込まれた状態で、飲物容器Ｃが車両走行等の何らかの外部作用により前後方向やベース３側（車幅方向の外側）に傾けられようとして、その力がホルダ部２に及ぼされると、ホルダ部２が偏った方向に力を受けてスライド軸２Ｂを高さ方向に傾かせようとすることがある。
【００２８】
上記のようにホルダ部２にスライド軸２Ｂを高さ方向に傾かせようとする負荷が掛けられると、スライド軸２Ｂの一端又は他端がその傾き変位によってベース３に対して軸方向の内側に動いて外れてしまうという不具合が発生することが考えられる。しかしながら、上記カップホルダ１は、このような不具合を発生させることがないよう、スライド軸２Ｂの各端部の軸方向の内側への移動が適切に規制される構成となっている。
【００２９】
＜カップホルダ１の各部の具体的な構成＞
以下、上述したカップホルダ１の各部の具体的な構成について、詳しく説明していく。なお、以下の説明において、「軸方向」とは、スライド軸２Ｂの軸方向となる前後方向を指している。上述したカップホルダ１は、図６に示すように、メガネ枠状のホルダ部２と、矩形板状のベース３と、棒状の制御リンク４と、上記ベース３にヒンジ連結された矩形板状の開閉蓋５と、トーションスプリング６と、を備えた構成となっている。上述したホルダ部２、ベース３、制御リンク４、及び開閉蓋５は、それぞれ、インジェクション成形された樹脂部品によって構成されている。トーションスプリング６は、金属部品によって構成されている。次に、上述した各構成部品の具体的な構成について、順に説明していく。
【００３０】
＜ホルダ部２＞
ホルダ部２は、飲物容器Ｃを上方側から差し込むことの可能な差込口２Ａを前後に２個横並び状に備える略メガネ枠状の形に形成されている。上記ホルダ部２の枠の一側部には、前方向と後方向とにそれぞれ軸を突出させるスライド軸２Ｂが一体的に形成されている。上記スライド軸２Ｂの前端部と後端部の各近傍箇所には、それぞれ、半径方向の外側に張り出す突起部２Ｃが形成されている。
【００３１】
上記各突起部２Ｃは、それぞれ、図１０に示すように、スライド軸２Ｂの前方側に張り出す部分の根元部と後方側に張り出す部分の根元部とから、それぞれ、スライド軸２Ｂの差込口２Ａから遠い側の半径方向に向かって立板状に張り出す規制板部２Ｃ１と、各規制板部２Ｃ１の軸方向の外側に位置して各規制板部２Ｃ１とは垂直な向きでスライド軸２Ｂから立板状に張り出す補強板部２Ｃ２と、を有するＴ字板状の形状とされている。各規制板部２Ｃ１は、それぞれ、軸方向に面を向ける形で張り出す立板形状とされている。また、各補強板部２Ｃ２は、スライド軸２Ｂから立板状に張り出して各規制板部２Ｃ１の軸方向の外側面部と互いに直交する形に繋がれていて、各規制板部２Ｃ１を軸方向に撓ませにくくして、各規制板部２Ｃ１の構造強度を高めるように機能するものとなっている。
【００３２】
＜ベース３＞
ベース３は、図６に示すように、その本体部が平板状の形に形成されており、前述した不図示のシートクッションの車幅方向の内側の側部にあてがわれて２本の締結ボルト３Ｇの締結により固定された状態とされている。上記ベース３は、上述したホルダ部２の一側部に前後方向に張り出した形となって形成されたスライド軸２Ｂを高さ方向にスライド可能な状態に嵌め込んでガイドするガイド部３Ａと、開閉蓋５の図示右側の一辺の前後２箇所をそれぞれ下開き回転可能な状態にヒンジ連結する前後２箇所のヒンジ突起３Ｂと、開閉蓋５の図示右側の一辺の各ヒンジ突起３Ｂの間の中央箇所を下開き回転可能な状態にヒンジ連結するヒンジ軸３Ｃａを備えた押さえ板３Ｃと、開閉蓋５を閉じた状態に係止させる係止部３Ｄと、係止部３Ｄの直下位置に形成された嵌合部３Ｅと、を有する構成となっている。
【００３３】
ガイド部３Ａは、ベース３の略中央部に形成されており、ベース３上から前後一対で縦長な逆三角板状の形に突出する縦側壁３Ａａと、各縦側壁３Ａａの突出した先の縁部から軸方向の内側へと庇状に張り出す覆い壁３Ａｂと、上記一対の縦側壁３Ａａの軸方向の内側の各位置から各縦側壁３Ａａと対面する形で縦長な略逆三角板状の形に小さく突出するガイド壁３Ａｃと、上述した各覆い壁３Ａｂの下端部に前方側に開口して形成された通し孔３Ａｄと、上述した各覆い壁３Ａｂと各ガイド壁３Ａｃとの間に形成された縦長な間隙として軸方向の内側に開口するガイド孔３Ａｅと、上述した各縦側壁３Ａａと各ガイド壁３Ａｃとの上端側の縁部間に蓋をする形でベース３上から各覆い壁３Ａｂの上端側の縁部と繋がる位置まで庇状に張り出す天板壁３Ａｆと、を有する構成となっている。
【００３４】
上述した各ガイド孔３Ａｅは、詳しくは、上述した各覆い壁３Ａｂと各ガイド壁３Ａｃとの湾曲を有する形状によって、それらの略下側半分の領域は高さ方向に真っ直ぐに延びる形状とされているが、略上側半分の領域は上側に向かって前側に湾曲する形で延びる形状とされている。上述したガイド部３Ａは、上述したホルダ部２の前後方向に張り出すスライド軸２Ｂの各端部を、上述した各ガイド孔３Ａｅに対して、それぞれ、下端側の各通し孔３Ａｄから内部に通すことにより、スライド軸２Ｂの各端部を各ガイド孔３Ａｅの形状に沿って高さ方向にスライドさせられるようにガイドした状態とする構成とされている。
【００３５】
すなわち、ガイド部３Ａは、上述した各覆い壁３Ａｂと各ガイド壁３Ａｃとの湾曲した形状により、これらの間に通されたホルダ部２のスライド軸２Ｂの前後側の各端部をそれぞれ高さ方向にスライドさせられるように両側からあてがえてガイドするようになっている。また、上記ガイド部３Ａは、ホルダ部２が図１に示す展開状態とされた時には、スライド軸２Ｂの各端部を各天板壁３Ａｆに当接させて、スライド軸２Ｂの展開方向の移動を規制するようになっている。
【００３６】
詳しくは、上述したスライド軸２Ｂの前後側の各端部は、図５及び図９に示すように、上述したガイド部３Ａに対して、それぞれ、各突起部２Ｃが各ガイド壁３Ａｃの軸方向の外側に位置して、各突起部２Ｃの規制板部２Ｃ１が各ガイド壁３Ａｃに軸方向の外側から対面した形に組み付けられている。上記組み付けにより、スライド軸２Ｂの前後側の各端部は、上述したガイド部３Ａに対して、上述した各突起部２Ｃの規制板部２Ｃ１と各ガイド壁３Ａｃとの軸方向の対面構造により、軸方向の双方への移動が規制された状態に保持されるようになっている。したがって、図４〜図５で前述したように、上述したホルダ部２にスライド軸２Ｂを高さ方向に傾けるような負荷が入力された際には、その傾きに伴うスライド軸２Ｂの一端又は他端の軸方向の内側に向けての移動が、上記軸方向の対面構造の当接による規制により適切に食い止められることとなる。
【００３７】
図６に示すように、各ヒンジ突起３Ｂは、ベース３の下側の縁部の前後２箇所からそれぞれ突出して形成されている。これらヒンジ突起３Ｂには、それぞれ、それらの突出した先端側の前面部箇所から、前方側に向かって真っ直ぐ丸ピン状の形に突出するヒンジ軸３Ｂａが一体的に形成されている。押さえ板３Ｃは、上述したベース３の下側の縁部の中央箇所から突出する前後２枚の板材によって構成されている。上記押さえ板３Ｃを構成する後側の板材には、前側の板材に向かって真っ直ぐ丸ピン状の形に突出するヒンジ軸３Ｃａが一体的に形成されている。上記ヒンジ軸３Ｃａは、その前後に位置する上述した各ヒンジ軸３Ｂａと互いに同軸線上の位置に並んで形成されている。ここで、上記ヒンジ軸３Ｃａが本発明の「ヒンジ連結軸」に相当する。
【００３８】
係止部３Ｄは、ベース３の上側の縁部の中央箇所から四角枠状の形に突出して形成されている。上記係止部３Ｄには、その四角枠の底枠上に、後述する開閉蓋５に形成された係止爪５Ａ４を枠内に受け入れて掛け合わせることのできる係止爪３Ｄａが形成されている。上記係止部３Ｄは、その上面部に形成された押下面３Ｄｂが押下されることにより、全体がベース３に対して下方側に撓まされるようになっていて、上記の押下操作によって上述した係止爪３Ｄａを開閉蓋５の係止爪５Ａ４との掛け合わせ状態から下方側に外して、開閉蓋５を展開させられる状態に切り換えるようになっている。
【００３９】
＜制御リンク４＞
制御リンク４は、図６に示すように、１本の棒状部材により形成されている。上記制御リンク４は、その図示下側の端部に、後側に向かって真っ直ぐ丸ピン状の形に突出する基軸４Ａが一体的に形成され、図示上側の端部に、前後に真っ直ぐ丸ピン状の形に突出する操作軸４Ｂが一体的に形成されている。上記制御リンク４は、その下端側の基軸４Ａが、後述する開閉蓋５に形成された軸受け部５Ａ２の上面部に形成された軸溝５Ａ２ｂ内に嵌め込まれて回転可能に軸支された状態として組み付けられている。また、上記制御リンク４は、その上端側の操作軸４Ｂが、上述したホルダ部２の中央枠部分の先端側の下部に回転可能に軸連結された状態として組み付けられている。
【００４０】
また、上記制御リンク４の操作軸４Ｂとホルダ部２との連結部には、トーションスプリング６が掛着されている。具体的には、上記トーションスプリング６は、そのコイル状に巻かれた中央の巻き部が操作軸４Ｂに通されて、その一端が制御リンク４の上面に当てられ、他端がホルダ部２の下面に当てられた状態として、これらの間に組み付けられている。上記組み付けにより、トーションスプリング６は、常時、制御リンク４とホルダ部２との間にこれらを互いに開く方向の附勢力を掛けた状態とされている。
【００４１】
上記制御リンク４は、図１及び図８に示すように、開閉蓋５がベース３から開かれる操作に伴って、ホルダ部２から張り出すための展開スペースが空けられて、トーションスプリング６の附勢力によって、ホルダ部２との成す角が開かれる形に操作される。この開き操作により、制御リンク４が、ホルダ部２とベース３との連結点であるスライド軸２Ｂを支点に基軸４Ａのまわりにベース３から倒される方向に回転操作されると共に、ホルダ部２がスライド軸２Ｂの各端部をベース３の各ガイド孔３Ａｅに沿って上方側へスライドさせる。この移動により、制御リンク４がホルダ部２の先端箇所をベース３から張り出させる方向へ引き出すと共に、ホルダ部２もそのベース３と連結されたスライド軸２Ｂを持ち上げた状態となって、ホルダ部２が水平姿勢に展開された状態となる。
【００４２】
また、上記制御リンク４は、図２に示すように、開閉蓋５が上記展開状態から閉じられる操作によって、上述したホルダ部２が開閉蓋５により先端箇所をベース３に向けて押し込まれるように操作されて、トーションスプリング６の附勢力に抗して上記とは逆のホルダ部２との成す角を押し狭める形に操作されるようになっている。この閉じ操作によって、制御リンク４とホルダ部２とが互いに折り重ねられる形に畳み込まれて、開閉蓋５とベース３との間に挟み込まれた収納状態とされるようになっている。
【００４３】
＜開閉蓋５＞
開閉蓋５は、図６に示すように、外蓋５Ａと内蓋５Ｂとの内外２枚重ねの構成とされている。外蓋５Ａは、図２に示すように、開閉蓋５がベース３に閉じられた際に外部に露呈する外郭カバーとして構成されている。内蓋５Ｂは、図１に示すように、開閉蓋５が開かれた際に、ホルダ部２の各差込口２Ａの直下位置に飲物容器Ｃを載置可能な平坦面を形成する内張り材として構成されている。
【００４４】
詳しくは、図６に示すように、上述した外蓋５Ａは、その外周縁全体が容器状を成す形に湾曲した形状とされており、その容器内に内蓋５Ｂが嵌め込まれることで、内蓋５Ｂの周囲を外周側から覆った状態として内蓋５Ｂと一体的に組み付けられた状態とされている。上記外蓋５Ａには、そのベース３の下側の縁部とヒンジ連結される図示右側の一辺の前後２箇所の位置に、ベース３の対応する前後２箇所の位置に突出して形成された前述したヒンジ突起３Ｂのヒンジ軸３Ｂａをそれぞれ後側から差し込んで回転可能な状態に軸連結することのできる軸受け部５Ａ１が形成されている。各軸受け部５Ａ１は、外蓋５Ａ上の前後２箇所の位置から台座状の形に突出して形成されており、それぞれに前後方向に丸孔状の形に貫通した軸孔５Ａ１ａが形成されている。各軸受け部５Ａ１は、それらの軸孔５Ａ１ａ内にベース３の対応する各ヒンジ突起３Ｂのヒンジ軸３Ｂａが後側から差し込まれることで、各ヒンジ軸３Ｂａを軸回転可能に支えた状態とするようになっている。
【００４５】
また、上記外蓋５Ａの図示右側の一辺の中央箇所にも、ベース３の対応する中央箇所に突出して形成された押さえ板３Ｃのヒンジ軸３Ｃａを後側から差し込んで回転可能な状態に軸連結することのできる軸受け部５Ａ２が形成されている。上記軸受け部５Ａ２は、外蓋５Ａ上の中央箇所から台座状の形に突出して形成されており、その後面部に丸孔状の形に凹んだ軸溝５Ａ２ａが形成されていると共に、上面部に断面Ｃ字状の形に凹んだ軸溝５Ａ２ｂが形成された構成とされている。
【００４６】
上記軸受け部５Ａ２は、その後面部に形成された軸溝５Ａ２ａ内にベース３の対応する押さえ板３Ｃのヒンジ軸３Ｃａが後側から差し込まれることで、同ヒンジ軸３Ｃａと軸回転可能な状態に嵌め込まれるようになっている。また、上記軸受け部５Ａ２は、その上面部に形成された軸溝５Ａ２ｂ内に上述した制御リンク４の基軸４Ａが上方側から嵌め込まれることで、同基軸４Ａを軸回転可能に支えた状態とするようになっている。
【００４７】
上記連結により、開閉蓋５がベース３に対して起倒回転可能にヒンジ連結された状態とされている。ここで、上述した外蓋５Ａの図示右側の一辺の反り上がる形に形成された縁部には、その各軸受け部５Ａ１及び軸受け部５Ａ２が形成された３箇所の位置に、それぞれ、開閉蓋５を水平位置まで展開させるまでの間の、開閉蓋５とベース３の各ヒンジ突起３Ｂ及び押さえ板３Ｃとの干渉を逃がす逃がし凹部５Ａ３が形成されている。上記開閉蓋５は、ベース３から水平位置まで展開されることにより、上記各逃がし凹部５Ａ３の凹んだ底側の上面がベース３の各ヒンジ突起３Ｂ及び押さえ板３Ｃの下面と当接して、その展開方向の移動が規制されて保持されるようになっている。
【００４８】
上記開閉蓋５は、図２〜図３に示すように、ベース３に向かって閉じられるように操作されることにより、外蓋５Ａの図６の図示左側の一辺の中央箇所に形成された係止爪５Ａ４が、前述したベース３の上側の縁部の中央箇所に形成された係止部３Ｄ内に差し込まれて同係止部３Ｄの係止爪３Ｄａと弾性的に掛け合わされて、ベース３に閉じられた状態に保持されるようになっている。
【００４９】
内蓋５Ｂは、図６に示すように、上述した容器状の形に形成された外蓋５Ａの容器内に嵌め込まれて一体的に結合されている。上記内蓋５Ｂは、図１に示すように、開閉蓋５が展開状態に開かれた際に、開閉蓋５の上面に飲物容器Ｃを載置可能な平坦面を形成する構成となっている。上記開閉蓋５は、その外周縁を残す中央一帯の領域に、浅く容器状の形に凹んだ受け皿５Ｂ１が形成された構成とされている。上記受け皿５Ｂ１は、図１に示すように、上述したホルダ部２の各差込口２Ａの直下位置に形成されていて、各差込口２Ａ内に差し込まれた飲物容器Ｃをその上面に載置することのできる載置面として機能するようになっている。
【００５０】
＜カップホルダ１のシートクッションへの取り付け方について＞
ところで、上述したカップホルダ１は、上述した図示しないシートクッションの車幅方向の内側の側部に対して、次のように組み付けられている。すなわち、図１１〜図１２に示すように、上述したカップホルダ１は、上述した図示しないシートクッションが上下逆さ向きにひっくり返された状態で、その側部に上述したベース３が上下逆さ向きにあてがわれた状態にセットされて、２本の締結ボルト３Ｇがこれらに貫通するように差し込まれて締結されることにより組み付けられている。より詳しくは、上述したベース３は、その背面に形成されたフック３Ｈが上記不図示のシートクッションの側部骨格を成す上下逆さ向きとされたサイドフレームに上側から引掛けられて仮固定された状態で、開閉蓋５を開いた状態から、上記２本の締結ボルト３Ｇをそれぞれベース３と不図示のサイドフレームとに貫通させるように差し込んで締結することにより上記不図示のシートクッションの側部に組み付けられている。
【００５１】
上記のようにシートクッション（不図示）が上下逆さ向きにひっくり返された状態でカップホルダ１が組み付けられるようになっている理由は、次の通りである。すなわち、シートクッション（不図示）は、その底面部に図示しないスライドレール等の装備品を組み付ける際に、組み付け性向上のために上下逆さ向きにひっくり返されるようになっており、その組み付けの際に併せてカップホルダ１の組み付けも行うことで、組み付け性の合理化が図られているからである。
【００５２】
上述したベース３を図示しないシートクッションの側部に締結する２本の締結ボルト３Ｇは、それぞれ、上述したベース３の中央部に形成されたガイド部３Ａの両縦側壁３Ａａの間の領域上に形成された前後に並ぶ２つの差込孔３Ｆ内にそれぞれ通されて締結されている。これら差込孔３Ｆは、詳しくは、上述したガイド部３Ａの前後側の各天板壁３Ａｆの直ぐ下側の位置に形成されている。このような位置に各差込孔３Ｆが形成されていることにより、カップホルダ１の組み付け後にベース３上に露呈する各締結ボルト３Ｇの頭部が外部から見えにくいようになっている。
【００５３】
しかし、上述したベース３上の各位置に形成された各差込孔３Ｆ内に各締結ボルト３Ｇを差し込むにあたっては、ホルダ部２が常時、展開方向に付勢された状態となっているために、開閉蓋５を開けた状態ではホルダ部２が各差込孔３Ｆと配置を重ねるような位置に展開されてしまい、各締結ボルト３Ｇの締結作業が阻害されやすくなってしまう。そこで、上記の締結作業を行いやすくするために、本カップホルダ１は、上述した開閉蓋５を開いた状態から、ホルダ部２を直接ベース３に向けて折り畳むように押し込むことにより、ホルダ部２がベース３に重ね合わされるように折り畳まれた位置（退避位置）で、ホルダ部２のメガネ枠の繋ぎの谷面部２Ｄが、ベース３の係止部３Ｄの直下部箇所に形成された嵌合部３Ｅと干渉して嵌合された状態となり、ホルダ部２を上記折り畳んだ退避位置の状態に位置保持することができるようになっている。
【００５４】
上記ホルダ部２がベース３に対して上述した折り畳まれた退避位置に位置保持された状態では、ホルダ部２の各差込口２Ａがベース３の各差込孔３Ｆと配置を重ねて、各差込口２Ａから各差込孔３Ｆが露呈した状態に保たれるようになっている。また、上記状態では、併せて、ホルダ部２と開閉蓋５とをリンク連結する制御リンク４が、これらの間でつっかえ棒となるように位置して、開閉蓋５が自重によってベース３に向かって閉じられようとする動きを規制することができるようになっている。
【００５５】
このような位置保持により、ベース３を不図示のシートクッションの側部に２本の締結ボルト３Ｇで締結する際に、ホルダ部２をベース３から付勢によって展開させないように手で押さえたり、開閉蓋５が自重によって閉じられないように手で押さえたりすることなく、各締結ボルト３Ｇをホルダ部２の各差込口２Ａに露呈する各差込孔３Ｆ内に差し込んで、不図示のシートクッションの側部に簡便に締結することができるようになっている。
【００５６】
上述したホルダ部２をベース３に折り畳むことでホルダ部２の谷面部２Ｄと干渉するベース３の嵌合部３Ｅは、ホルダ部２の谷面部２Ｄと干渉して嵌合させた状態では、ホルダ部２が制御リンク４をつっかえ棒として開閉蓋５の自重作用を受け止める力を谷面部２Ｄから干渉を強める方向に受けることで、ホルダ部２の干渉位置での位置保持と、開閉蓋５の開いた位置での位置保持と、を安定して行うことができるようになっている。
【００５７】
一方、上記ホルダ部２は、それ自体が直接、ベース３に押し込まれるのではなく、開閉蓋５の閉じ操作によってベース３に押し込まれて折り畳まれる時には、上記と同様にベース３と重なる位置まで折り畳まれたとしても、その谷面部２Ｄがベース３の嵌合部３Ｅとは干渉せず、嵌合部３Ｅとの間に隙間を空けて嵌合部３Ｅによる位置保持が行われない状態でベース３と開閉蓋５との間に挟み込まれた状態に収納されるようになっている。したがって、この場合には、折り畳まれたホルダ部２によって開閉蓋５の閉じ操作が阻害されるようなことはなく、開閉蓋５の閉じ操作とホルダ部２の閉じ操作とを良好に行うことができる。
【００５８】
上記のように、ホルダ部２自体を直接、ベース３に押し込む場合と、開閉蓋５の閉じ操作によってホルダ部２をベース３に押し込む場合とで、ホルダ部２がベース３の嵌合部３Ｅに嵌合されたり嵌合されなかったりする具体的な状態の違いは次の通りである。すなわち、図１３に示すように、開閉蓋５を開いた状態でホルダ部２自体を直接、ベース３に折り畳むように押し込む時には、ホルダ部２は、制御リンク４の開閉蓋５との連結点である基軸４Ａを中心に、スライド軸２Ｂをガイド孔３Ａｅに沿って下方側へスライドさせながらベース３に重ね合わされるように折り畳まれていくようになっている。この動作により、ホルダ部２は、そのメガネ枠の繋ぎの谷面部２Ｄが、ホルダ部２がベース３に重ね合わされる状態となる時に、ベース３の嵌合部３Ｅの下面と干渉する移動軌跡上を通るようになっている。したがって、ホルダ部２をベース３に重ね合わせる位置まで移動させることにより、ホルダ部２の谷面部２Ｄがベース３の嵌合部３Ｅの下面と干渉して嵌合し、ベース３に重ね合わされた退避位置の状態に位置保持されることとなる。
【００５９】
一方、図１４に示すように、開閉蓋５の閉じ操作によってホルダ部２をベース３に折り畳むように押し込む時には、制御リンク４の開閉蓋５との連結点である基軸４Ａが、開閉蓋５の閉じ操作の進行に伴って、開閉蓋５とベース３との連結点であるヒンジ軸３Ｃａのまわりを回転移動して、ベース３に向かって近づいていきながら下方側へ落ち込んでいくようになっている。この基軸４Ａの落ち込みにより、上記基軸４Ａを中心としたホルダ部２のベース３に向けての回転による折り畳み移動は、ホルダ部２がベース３に重ね合わされる状態となる時に、そのメガネ枠の繋ぎの谷面部２Ｄがベース３の嵌合部３Ｅの下面との間に高さ方向の隙間を空けた状態となるように行われるようになっている。これにより、ホルダ部２は、上記ベース３に対して、谷面部２Ｄを嵌合部３Ｅに嵌合させることなく、折り畳まれるようになっている。
【００６０】
上述した図１３のホルダ部２自体を直接、ベース３に押し込む動作によってベース３の嵌合部３Ｅに嵌合させて位置保持させる構成は、カップホルダ１を不図示のシートクッションの側部に締結する作業時の他、図３にて前述したように、カップホルダ１の使用時においても活用することができるようになっている。すなわち、カップホルダ１の開閉蓋５を開いた使用状態において、ホルダ部２自体を直接、ベース３に押し込んで重ね合わせた状態に嵌合させて位置保持させることにより、ホルダ部２をベース３から迫り出させないコンパクトな形に折り畳んだ状態として、開閉蓋５の上面を物載せとして使用することのできる状態とすることができる。また、上記状態から、ホルダ部２自体を直接、ベース３に折り畳まれた状態から引き出すように操作すれることにより、ホルダ部２が飲物容器Ｃを保持可能な状態に簡便に引き出されるため、ホルダ部２の使用・不使用の切り換え操作を簡便に行うことができる。
【００６１】
＜まとめ＞
以上をまとめると、本実施例のカップホルダ１は次のような構成となっている。すなわち、保持対象物（飲物容器Ｃ）を外周側から支えるホルダ部２と、ホルダ部２を支えるベース３と、を有するカップホルダ１である。ホルダ部２は、ベース３に対して、保持対象物（飲物容器Ｃ）を支えることのできる展開位置と、展開位置からいずれかの方向に動かされた（ベース３に重ね合わされる状態に折り畳まれた）退避位置と、の間で動かすことができると共に、動かした各位置にて位置保持することのできる状態に連結されている。ホルダ部２を上記退避位置に位置保持する構成が、ホルダ部２の退避位置への移動により、ホルダ部２と移動を共にする移動体（谷面部２Ｄ）がベース３に嵌合する構造からなる。
【００６２】
このような構成となっていることにより、ホルダ部２を退避位置へと動かすことで、ホルダ部２と移動を共にする移動体（谷面部２Ｄ）がベース３に嵌合して、ホルダ部２が退避位置に保持される。このような構成により、カップホルダ１のホルダ部２を不使用時に退避位置に動かして保持することのできる構成を得ることができる。
【００６３】
上記カップホルダ１は、更に、ベース３に対して開閉可能に連結された開閉蓋５を有する。開閉蓋５は、ホルダ部２が退避位置に位置保持されることにより、ホルダ部２を介して開いた状態に位置保持される構成とされている。このような構成となっていることにより、ホルダ部２を退避位置に位置保持する構成を利用して、開閉蓋５も開いた状態に位置保持することができる。
【００６４】
また、上記カップホルダ１は、更に、ホルダ部２と開閉蓋５とをリンク連結する制御リンク４を有する。開閉蓋５は、ホルダ部２が退避位置に位置保持されることにより、制御リンク４を支えとして開いた状態に位置保持される構成とされている。このような構成となっていることにより、ホルダ部２と開閉蓋５とをリンク連結する制御リンク４を支えとして、開閉蓋５を開いた状態に安定して位置保持することができる。
【００６５】
また、開閉蓋５が、ベース３に対して開閉回転可能にヒンジ連結されている。制御リンク４は、開閉蓋５に対し、開閉蓋５のベース３とのヒンジ連結軸（ヒンジ軸３Ｃａ）から偏心した箇所（基軸４Ａ）に連結されている。ホルダ部２が上記退避位置に位置保持された状態では、開閉蓋５を斜めの角度姿勢で支えて位置保持する構成とされている（図１３参照）。このような構成となっていることにより、開閉蓋５が制御リンク４によって開いた状態に支えられる際の、開閉蓋５に掛かる曲げの負荷を軽減することができる。
【００６６】
また、ホルダ部２は、開閉蓋５の閉じ操作によって上記制御リンク４を介したリンク運動により開閉蓋５とベース３との間に重ね合わされた状態に折り畳まれる構成とされている。開閉蓋５が開いた状態でホルダ部２をベース３に折り畳むことによりホルダ部２が退避位置まで移動してベース３と嵌合し開閉蓋５の閉じ操作を規制した状態となるが、開閉蓋５を閉じる操作によってホルダ部２をベース３に折り畳む時にはホルダ部２が退避位置までは到達せずにベース３と嵌合しない状態で開閉蓋５とベース３との間に折り畳まれるようになっている。このような構成となっていることにより、開閉蓋５を閉じる時には、ホルダ部２をこの動きに連動させてベース３との間に折り畳むことができながら、開閉蓋５を開いた状態でホルダ部２自体をベース３に折り畳む時には、その動作によってホルダ部２を退避位置に嵌合させて位置保持させ、開閉蓋５を開いた状態に位置保持する構成とすることができる。
【００６７】
具体的には、ホルダ部２は、制御リンク４の開閉蓋５に対する連結点（基軸４Ａ）の位置が、開閉蓋５の閉じ操作と共にホルダ部２を退避位置から下方側に引き離していく移動軌跡を通る位置に設定されている。このように制御リンク４の開閉蓋５に対する連結点（基軸４Ａ）の位置設定によって、ホルダ部２自体を直接ベース３に折り畳む場合と開閉蓋５の閉じ操作によって折り畳む場合とで、ホルダ部２をベース３に嵌合させたりさせなかったりするように切り換えられる構成を簡便に具現化することができる。
【００６８】
また、ホルダ部２の展開位置がベース３から迫り出す状態位置（図１参照）とされ、ホルダ部２の退避位置がベース３に重ね合わされる形に折り畳まれた状態位置（図３参照）とされる。このような構成となっていることにより、ホルダ部２をベース３に対して保持対象物（飲物容器Ｃ）を外周側から適切に支えられる状態位置と、ベース３にコンパクトに折り畳んだ状態位置と、の間で展開収納させる形で動かすことができる。
【００６９】
＜その他の実施例＞
以上、本発明の実施形態を１つの実施例を用いて説明したが、本発明は上記実施例のほか各種の形態で実施することができるものである。例えば、本発明のカップホルダは、自動車等の乗物用シートにおけるシートクッションの側部の他、シートバックの背部やアームレスト等、シートを構成する様々な箇所に付設して設けることができるものである。また、カップホルダは、乗物内のセンタコンソールやセンタボックスなど、乗物本体に内装される様々な内装品に付設して設けることもできるものである。なお、乗物は、自動車や鉄道等の車両の他、航空機、船舶等の人を乗せて運ぶもの全般を含むものである。
【００７０】
また、保持対象物は、飲物容器に限らず何であってもよい。また、上記保持対象物を外周側から支えるホルダ部は、保持対象物を１つ又は３つ以上保持可能な構成を備えたものであってもよく、その形も特定の形状に限定されるものではない。また、ホルダ部は、ベースに対して、いずれかの方向へのスライドのみ、或いは回転のみの移動によって、展開位置と退避位置との間で動かされるものの他、上記実施例で示したように、スライドと回転とを組み合わせた移動によって展開位置と退避位置との間で動かされるものであってもよい。上記ホルダ部の退避位置は、必ずしもホルダ部をベースに対してコンパクトに畳み込んだ状態にする位置でなくてもよく、ホルダ部の展開位置を高さ方向や幅方向等のいずれかの方向に変えることを目的とした位置として設定されていてもよい。
【００７１】
また、ホルダ部を退避位置に位置保持する構成は、ホルダ部と移動を共にする制御リンク等の他部材をベースに嵌合させる構造から成るものであってもよい。なお、このような構成を採る場合には、制御リンクが本発明の「移動体」に含まれる構成となる。また、開閉蓋は、ベースに対して、上方向や下方向に開閉されるものの他、前方向や後ろ方向、或いは右方向や左方向に開閉されるものであってもよい。また、カップホルダは、開閉蓋を備えない構成であってもよい。また、ホルダ部は、必ずしも開閉蓋の開閉操作に連動してベースに対して展開収納されるものでなくてもよく、開閉蓋とリンク連結されずに別個独立して動かされる構成とされたものであってもよい。その場合、ホルダ部は、ベースに対して所定の退避位置に嵌合して位置保持されることで、開閉蓋の閉じ操作を規制する構成を採るものであってもよい。
【符号の説明】
【００７２】
１      カップホルダ
２      ホルダ部
２Ａ    差込口
２Ｂ    スライド軸
２Ｃ    突起部
２Ｃ１  規制板部
２Ｃ２  補強板部
２Ｄ    谷面部（移動体）
３      ベース
３Ａ    ガイド部
３Ａａ  縦側壁
３Ａｂ  覆い壁
３Ａｃ  ガイド壁
３Ａｄ  通し孔
３Ａｅ  ガイド孔
３Ａｆ  天板壁
３Ｂ    ヒンジ突起
３Ｂａ  ヒンジ軸
３Ｃ    押さえ板
３Ｃａ  ヒンジ軸（ヒンジ連結軸）
３Ｄ    係止部
３Ｄａ  係止爪
３Ｄｂ  押下面
３Ｅ    嵌合部
３Ｆ    差込孔
３Ｇ    締結ボルト
３Ｈ    フック
４      制御リンク
４Ａ    基軸
４Ｂ    操作軸
５      開閉蓋
５Ａ    外蓋
５Ａ１  軸受け部
５Ａ１ａ  軸孔
５Ａ２  軸受け部
５Ａ２ａ  軸溝
５Ａ２ｂ  軸溝
５Ａ３  逃がし凹部
５Ａ４  係止爪
５Ｂ    内蓋
５Ｂ１  受け皿
６      トーションスプリング
Ｃ      飲物容器（保持対象物）
【図１】
0006500730.tif 000002
【図２】
0006500730.tif 000003
【図３】
0006500730.tif 000004
【図４】
0006500730.tif 000005
【図５】
0006500730.tif 000006
【図６】
0006500730.tif 000007
【図７】
0006500730.tif 000008
【図８】
0006500730.tif 000009
【図９】
0006500730.tif 000010
【図１０】
0006500730.tif 000011
【図１１】
0006500730.tif 000012
【図１２】
0006500730.tif 000013
【図１３】
0006500730.tif 000014
【図１４】
0006500730.tif 000015